(57)【要約】      （修正有）【課題】頭から背中まで至る大型の枕のような寝具において、背中を支持する部分と首を支持する突起との高低差を調整可能にする寝具を提供する。【解決手段】寝具１０は、頭を支持する頭支持部２０と、背中を支持する背中支持部３０とを備える。頭支持部２０の上面に、高さが異なる第１首支持突起２１及び第２首支持突起２２を、所定間隔をあけて平行に設ける。頭支持部２０の第１首支持突起２１側の縁に第１ファスナ２４を設け、頭支持部２０の第２首支持突起２２側の縁に第２ファスナ２５を設け、背中支持部３０の一辺に第３ファスナ３１を設ける。第１ファスナ２４と第３ファスナ３１とを係合させることで頭支持部２０に背中支持部３０を装着可能とし、第２ファスナ２５と第３ファスナ３１とを係合させることで頭支持部２０に背中支持部３０を装着可能とする。第１首支持突起２１と第２首支持突起２２との間に、後頭部が収まる凹部２３を設ける。【選択図】図５
0003230736.tif 000002
【実用新案登録請求の範囲】
【請求項１】
頭を支持する頭支持部と、
背中を支持する背中支持部と
を備え、
前記頭支持部と前記背中支持部とは、着脱可能とされ、
前記頭支持部の上面には、
首を支持する突起であって一方の側部から他方の側部まで至る第１首支持突起と、
首を支持する突起であって一方の側部から他方の側部まで至る第２首支持突起と
が所定間隔をあけて平行に設けられ、
前記第１首支持突起と前記第２首支持突起とは、高さが異なるように形成され、
前記頭支持部における前記第１首支持突起側の縁に沿って第１ファスナが設けられ、
前記頭支持部における前記第２首支持突起側の縁に沿って第２ファスナが設けられ、
前記背中支持部の一辺に沿って第３ファスナが設けられ、
前記第１ファスナと前記第３ファスナとは、係合可能とされ、
前記第２ファスナと前記第３ファスナとは、係合可能とされ、
前記第１ファスナと前記第３ファスナとを係合させることにより前記頭支持部に対して前記背中支持部を装着可能であり、
前記第２ファスナと前記第３ファスナとを係合させることにより前記頭支持部に対して前記背中支持部を装着可能であり、
前記頭支持部の上面における前記第１首支持突起と前記第２首支持突起との間には、凹部が設けられ、
前記第１首支持突起で首を支持したときに、前記凹部に後頭部が収まり、
前記第２首支持突起で首を支持したときに、前記凹部に後頭部が収まる
ことを特徴とする寝具。
【考案の詳細な説明】
【技術分野】
【０００１】
本考案は、寝具に関するものである。
【背景技術】
【０００２】
従来より、頭から背中まで至る大型の枕のような寝具が知られている（たとえば、特許文献１参照）。
【先行技術文献】
【特許文献】
【０００３】
【特許文献１】意匠登録第１６１５０１８号公報
【考案の概要】
【考案が解決しようとする課題】
【０００４】
本考案が解決しようとする課題は、頭から背中まで至る大型の枕のような寝具において、背中を支持する部分と首を支持する突起との高低差を調整可能にすることである。
【課題を解決するための手段】
【０００５】
本考案は、以下の解決手段によって上述の課題を解決する。
本考案は、
頭を支持する頭支持部（２０）と、
背中を支持する背中支持部（３０）と
を備え、
前記頭支持部（２０）と前記背中支持部（３０）とは、着脱可能とされ、
前記頭支持部（２０）の上面には、
首を支持する突起であって一方の側部から他方の側部まで至る第１首支持突起（２１）と、
首を支持する突起であって一方の側部から他方の側部まで至る第２首支持突起（２２）と
が所定間隔をあけて平行に設けられ、
前記第１首支持突起（２１）と前記第２首支持突起（２２）とは、高さが異なるように形成され、
前記頭支持部（２０）における前記第１首支持突起（２１）側の縁に沿って第１ファスナ（２４）が設けられ、
前記頭支持部（２０）における前記第２首支持突起（２２）側（前記第１ファスナ（２４）と反対側）の縁に沿って第２ファスナ（２５）が設けられ、
前記背中支持部（３０）の一辺に沿って第３ファスナ（３１）が設けられ、
前記第１ファスナ（２４）と前記第３ファスナ（３１）とは、係合可能とされ、
前記第２ファスナ（２５）と前記第３ファスナ（３１）とは、係合可能とされ、
前記第１ファスナ（２４）と前記第３ファスナ（３１）とを係合させることにより前記頭支持部（２０）に対して前記背中支持部（３０）を装着可能であり、
前記第２ファスナ（２５）と前記第３ファスナ（３１）とを係合させることにより前記頭支持部（２０）に対して前記背中支持部（３０）を装着可能であり、
前記頭支持部（２０）の上面における前記第１首支持突起（２１）と前記第２首支持突起（２２）との間には、凹部（２３）が設けられ、
前記第１首支持突起（２１）で首を支持したときに、前記凹部（２３）に後頭部が収まり、
前記第２首支持突起（２２）で首を支持したときに、前記凹部（２３）に後頭部が収まる
ことを特徴とする。
【考案の効果】
【０００６】
本考案によれば、第１ファスナと第３ファスナとを係合させることにより頭支持部に対して背中支持部を装着したときと、第２ファスナと第３ファスナとを係合させることにより頭支持部に対して背中支持部を装着したときとで、背中を支持する部分から首を支持する突起までの高さを異ならせることができる。これにより、背中を支持する部分と首を支持する突起との高低差を調整可能にすることができる。
また、第１首支持突起で首を支持したときには、第１首支持突起と第２首支持突起との間に設けられた凹部に後頭部が収まり、第２首支持突起で首を支持したときにも、第１首支持突起と第２首支持突起との間に設けられた凹部に後頭部が収まる。これにより、第１首支持突起で首を支持したときに、第２首支持突起が邪魔にならず、また、第２首支持突起で首を支持したときに、第１首支持突起が邪魔にならないので、寝心地を向上させることができる。
【図面の簡単な説明】
【０００７】
【図１】頭支持部の第１ファスナと背中支持部の第３ファスナとを係合させた状態を示す平面図である。
【図２】頭支持部の第１ファスナと背中支持部の第３ファスナとを係合させた状態を示す底面図である。
【図３】頭支持部の第１ファスナと背中支持部の第３ファスナとを係合させた状態を示す右側面図である。
【図４】頭支持部の第１ファスナと背中支持部の第３ファスナとを係合させた状態を示す斜視図である。
【図５】頭支持部の第１ファスナと背中支持部の第３ファスナとを係合させ、一部の係合を解除した状態を示す斜視図である。
【図６】頭支持部の第２ファスナと背中支持部の第３ファスナとを係合させた状態を示す平面図である。
【図７】頭支持部の第２ファスナと背中支持部の第３ファスナとを係合させた状態を示す底面図である。
【図８】頭支持部の第２ファスナと背中支持部の第３ファスナとを係合させた状態を示す右側面図である。
【図９】頭支持部の第２ファスナと背中支持部の第３ファスナとを係合させた状態を示す斜視図である。
【図１０】頭支持部の第２ファスナと背中支持部の第３ファスナとを係合させ、一部の係合を解除した状態を示す斜視図である。
【図１１】頭支持部の第１ファスナと背中支持部の第３ファスナとを係合させた状態で背中支持部を折りたたんだ状態を示す右側面図である。
【図１２】頭支持部の第１ファスナと背中支持部の第３ファスナとを係合させた状態で背中支持部を折りたたんだ状態を示す斜視図である。
【図１３】頭支持部の第２ファスナと背中支持部の第３ファスナとを係合させた状態で背中支持部を折りたたんだ状態を示す右側面図である。
【図１４】頭支持部の第２ファスナと背中支持部の第３ファスナとを係合させた状態で背中支持部を折りたたんだ状態を示す斜視図である。
【図１５】頭支持部を示す平面図である。
【図１６】頭支持部を示す底面図である。
【図１７】頭支持部を示す右側面図である。
【図１８】頭支持部を示す斜視図である。
【図１９】頭支持部を示す斜視図である。
【考案を実施するための形態】
【０００８】
以下、図面を参照して、本考案の実施形態について説明する。
本実施形態に係る寝具１０は、頭から背中まで至る大型の枕のような寝具１０であって、図１〜図１０に示すように、頭を支持するための「頭支持部２０」と、背中を支持するための「背中支持部３０」とを備え、これらが着脱可能とされているものである。
【０００９】
図１、図６、図１５に示すように、頭支持部２０は、平面視矩形に形成されている。また、頭支持部２０の横方向の長さ（幅）は、約「６５」ｃｍであり、頭支持部２０の縦方向の長さ（奥行き）は、約「４０」ｃｍである。
頭支持部２０は、中芯材と、この中芯材を覆うカバーとから構成されている。
また、中芯材は、たとえば、低反発ウレタン素材を用いて形成することができる。
さらに、カバーは、たとえば、レーヨンやポリエステルなどを材料とするニット生地を用いて形成することができる。
【００１０】
図１、図３、図４に示すように、頭支持部２０の上面（表面）には、首を支持するための２つの突起が設けられている。ここで、一方の突起を「第１首支持突起２１」と称し、他方の突起を「第２首支持突起２２」と称する。
第１首支持突起２１は、頭支持部２０の一方の側部（図中、右側部）から他方の側部（図中、左側部）まで至る横長の直線状に形成された凸部である。
また、第２首支持突起２２も、第１首支持突起２１と同様に、頭支持部２０の一方の側部から他方の側部まで至る横長の直線状に形成された凸部である。
さらに、第１首支持突起２１と第２首支持突起２２とは、所定間隔をあけて平行に形成されている。すなわち、頭支持部２０の上面には、首を支持するための第１首支持突起２１及び第２首支持突起２２が所定間隔をあけて平行に設けられている。
【００１１】
図３、図４に示すように、第１首支持突起２１と第２首支持突起２２とは、高さが異なるように形成されている。具体的には、第１首支持突起２１は、第２首支持突起２２より高さが高く形成されている。すなわち、第１首支持突起２１と第２首支持突起２２との高さを比較すると、第１首支持突起２１の方が第２首支持突起２２より高さが高くなっている。換言すると、第２首支持突起２２の方が第１首支持突起２１より高さが低くなっている。
また、頭支持部２０の上面における第１首支持突起２１と第２首支持突起２２との間には、後頭部が収まる凹部２３が形成されている。そして、第１首支持突起２１で首を支持するようにして、頭支持部２０の上に頭を載せると、頭支持部２０の上面の凹部２３に後頭部が収まるようになっている。同様に、第２首支持突起２２で首を支持するようにして、頭支持部２０の上に頭を載せると、頭支持部２０の上面の凹部２３に後頭部が収まるようになっている。
【００１２】
すなわち、第１首支持突起２１で首を支持したときに、第１首支持突起２１と第２首支持突起２２との間の凹部２３に後頭部が収まり、また、第２首支持突起２２で首を支持したときに、第１首支持突起２１と第２首支持突起２２との間の凹部２３に後頭部が収まるように形成されている。そして、第１首支持突起２１と第２首支持突起２２との間の所定間隔は、第１首支持突起２１又は第２首支持突起２２で首を支持したときに、第１首支持突起２１と第２首支持突起２２との間の凹部２３に後頭部が収まるように設定された間隔である。
【００１３】
図１、図６に示すように、背中支持部３０も、頭支持部２０と同様に、平面視矩形に形成されている。また、背中支持部３０の横方向の長さ（幅）は、約「６５」ｃｍであり、背中支持部３０の縦方向の長さ（奥行き）は、約「４０」ｃｍである。すなわち、背中支持部３０の幅は、頭支持部２０の幅とほぼ等しく、背中支持部３０の奥行きは、頭支持部２０の奥行きとほぼ等しい。
また、背中支持部３０も、頭支持部２０と同様に、中芯材と、この中芯材を覆うカバーとから構成されている。中芯材は、たとえば、低反発ウレタン素材を用いて形成することができ、カバーは、たとえば、レーヨンやポリエステルなどを材料とするニット生地を用いて形成することができる。この点についても、頭支持部２０と同様である。
また、図３、図４に示すように、背中支持部３０は、頭支持部２０とは異なり、ほぼ平坦に形成されている。
【００１４】
図２に示すように、頭支持部２０における第１首支持突起２１側（図中、下側）の縁に沿って、第１ファスナ２４が設けられている。また、頭支持部２０における第２首支持突起２２側（第１ファスナ２４と反対側）（図中、上側）の縁に沿って、第２ファスナ２５が設けられている。第１ファスナ２４及び第２ファスナ２５は、頭支持部２０を構成するカバーの縁に縫い付けられることによって取り付けられている。
また、図２に示すように、背中支持部３０の一辺（図中、上側の縁）に沿って、第３ファスナ３１が設けられている。第３ファスナ３１は、背中支持部３０を構成するカバーの縁に縫い付けられることによって取り付けられている。
【００１５】
また、第１ファスナ２４と第３ファスナ３１とは、係合可能とされている。そして、第１ファスナ２４と第３ファスナ３１とを係合させることによって、頭支持部２０に対して背中支持部３０を装着可能となっている。
図１〜図５は、第１ファスナ２４と第３ファスナ３１とを係合させることによって、頭支持部２０に対して背中支持部３０を装着した状態を示している。
同様に、第２ファスナ２５と第３ファスナ３１とは、係合可能とされている。そして、第２ファスナ２５と第３ファスナ３１とを係合させることによって、頭支持部２０に対して背中支持部３０を装着可能となっている。
図６〜図１０は、第２ファスナ２５と第３ファスナ３１とを係合させることによって、頭支持部２０に対して背中支持部３０を装着した状態を示している。
【００１６】
第１ファスナ２４と第３ファスナ３１との係合を解除し、頭支持部２０の上下を逆にして、図６〜図１０に示すように、第２ファスナ２５と第３ファスナ３１とを係合させる。これにより、第１ファスナ２４と第３ファスナ３１とを係合させて頭支持部２０に背中支持部３０を装着したときと、第２ファスナ２５と第３ファスナ３１とを係合させて頭支持部２０に背中支持部３０を装着したときとで、背中を支持する部分から首を支持する突起までの高さを異ならせることができる。よって、背中を支持する部分と首を支持する突起との高低差を調整可能にすることができる。
また、図２、図７に示すように、頭支持部２０の下面（裏面）には、滑り止め２６が設けられているとともに、背中支持部３０の下面（裏面）にも、滑り止め３２が設けられている。そして、これらの滑り止め２６、３２により、本実施形態に係る寝具１０が布団に対して滑らないようにすることができる。
【００１７】
また、図１１、図１２に示すように、頭支持部２０の第１ファスナ２４と背中支持部３０の第３ファスナ３１とを係合させた状態で、背中支持部３０を折りたたんで使用することもできる。
具体的には、頭支持部２０の第１ファスナ２４と背中支持部３０の第３ファスナ３１との係合箇所を折り目とし、頭支持部２０の下面（裏面）と背中支持部３０の下面（裏面）とを向かい合わせるようにして、背中支持部３０を折りたたむ。上述したように、背中支持部３０の幅は、頭支持部２０の幅とほぼ等しく、背中支持部３０の奥行きは、頭支持部２０の奥行きとほぼ等しい。このため、背中支持部３０を折りたたむと、図１１、図１２に示すように、頭支持部２０と背中支持部３０とがちょうど重なり合う。このとき、頭支持部２０の下面（裏面）及び背中支持部３０の下面（裏面）に設けられた滑り止め２６、３２により、頭支持部２０が背中支持部３０に対して滑らないようにすることができる。そして、背中支持部３０の上面（表面）を下向きにして使用する。
【００１８】
また、図１３、図１４に示すように、頭支持部２０の第２ファスナ２５と背中支持部３０の第３ファスナ３１とを係合させた状態で、背中支持部３０を折りたたんで使用することもできる。
具体的には、頭支持部２０の第２ファスナ２５と背中支持部３０の第３ファスナ３１との係合箇所を折り目とし、頭支持部２０の下面（裏面）と背中支持部３０の下面（裏面）とを向かい合わせるようにして、背中支持部３０を折りたたむ。このとき、上述したように、頭支持部２０と背中支持部３０とがちょうど重なり合う。また、頭支持部２０の下面（裏面）及び背中支持部３０の下面（裏面）に設けられた滑り止め２６、３２により、頭支持部２０が背中支持部３０に対して滑らないようにすることができる。そして、背中支持部３０の上面（表面）を下向きにして使用する。
【００１９】
また、図１５〜図１９に示すように、背中支持部３０を取り外して頭支持部２０のみで使用することもできる。
このように、本実施形態に係る寝具１０は、頭支持部２０の上下を逆にしたり、背中支持部３０を折りたたんだり、背中支持部３０を取り外すことにより、首を支持する突起の高さを変えることができ、ひいては布団から首を支持する突起までの高さを調整可能にすることができる。
【符号の説明】
【００２０】
１０  寝具
２０  頭支持部
２１  第１首支持突起
２２  第２首支持突起
２３  凹部
２４  第１ファスナ
２５  第２ファスナ
２６  滑り止め
３０  背中支持部
３１  第３ファスナ
３２  滑り止め
【図１】
0003230736.tif 000003
【図２】
0003230736.tif 000004
【図３】
0003230736.tif 000005
【図４】
0003230736.tif 000006
【図５】
0003230736.tif 000007
【図６】
0003230736.tif 000008
【図７】
0003230736.tif 000009
【図８】
0003230736.tif 000010
【図９】
0003230736.tif 000011
【図１０】
0003230736.tif 000012
【図１１】
0003230736.tif 000013
【図１２】
0003230736.tif 000014
【図１３】
0003230736.tif 000015
【図１４】
0003230736.tif 000016
【図１５】
0003230736.tif 000017
【図１６】
0003230736.tif 000018
【図１７】
0003230736.tif 000019
【図１８】
0003230736.tif 000020
【図１９】
0003230736.tif 000021